(57)【要約】【課題】光量補正とともに、ビーム面積の補正にスクリーン角度の補正を加味することにより、濃度むらやスジを大幅に低減することが可能なＬＥＤアレイ露光装置及びそれを備えた画像形成装置を提供する。【解決手段】ＬＥＤアレイ露光装置において、レンズアレイを透過した各ＬＥＤ発光素子のビーム面積のばらつきに対するビーム面積補正と、画素データのスクリーン角度に応じてビーム面積補正の大小を調節する重み付けとが、光量補正に重畳される。【選択図】      図７
2004148652.tif 000002
【特許請求の範囲】
【請求項１】
画素データに応じて点灯制御される複数のＬＥＤ発光素子からなる１つまたは複数のＬＥＤアレイチップがライン状に配設され、各ＬＥＤ発光素子の光量データに基づき該ＬＥＤ発光素子の光量補正を行い、該ＬＥＤ発光素子の発光をレンズアレイを介して結像させて露光を行うＬＥＤアレイ露光装置において、レンズアレイを透過した各ＬＥＤ発光素子のビーム面積のばらつきに対するビーム面積補正と、前記画素データのスクリーン角度に応じて前記ビーム面積補正の大小を調節する重み付けとが、前記光量補正に重畳されることを特徴とするＬＥＤアレイ露光装置。
【請求項２】
前記ビーム面積補正は、補正対象となるＬＥＤ発光素子を含む前後複数個のＬＥＤ発光素子のビーム面積を平均値化し、該平均値と補正対象となるＬＥＤ発光素子のビーム面積の差分の大小に応じて行うことを特徴とする請求項１に記載のＬＥＤアレイ露光装置。
【請求項３】
前記ビーム面積の平均値が移動平均値となるように、移動平均値の対象となる前記前後複数個のＬＥＤ発光素子が、補正対象となるＬＥＤ発光素子とともに移動することを特徴とする請求項２に記載のＬＥＤアレイ露光装置。
【請求項４】
前記前後複数個のＬＥＤ発光素子は、補正対象となるＬＥＤ発光素子を先頭とする後続する複数個のＬＥＤ発光素子であることを特徴とする請求項２または請求項３のいずれかに記載のＬＥＤアレイ露光装置。
【請求項５】
前記前後複数個のＬＥＤ発光素子は、補正対象となるＬＥＤ発光素子を含む同一のＬＥＤアレイチップ内のＬＥＤ発光素子であることを特徴とする請求項２に記載のＬＥＤアレイ露光装置。
【請求項６】
請求項１乃至請求項５のいずれかに記載のＬＥＤアレイ露光装置を備えた画像形成装置。
【発明の詳細な説明】
【０００１】
【発明の属する技術分野】
本発明は、画像形成時に書き込み用として使用されるＬＥＤアレイ露光装置及びそれを備えた画像形成装置に関する。
【０００２】
【従来の技術】
複写機やプリンタ及びファクシミリなどの画像形成装置には、被記録媒体である用紙などに直接画像を形成する直接画像形成方式と、感光体などからなる中間媒体に一旦画像を記録し、その画像を最終的な被記録媒体に転写する間接画像形成方式とがある。家庭などにおける小規模な使用を除けば、被記録媒体に普通紙を使用できる間接画像形成方式の画像形成装置が広く使用されている。
【０００３】
また、複写機などの画像形成装置では、従来、アナログ画像情報をアナログ画像形成プロセスを用いて記録形成していたが、最近の情報のデジタル化に伴い、デジタル画像形成プロセスを用いてデジタル情報として処理し、被記録媒体に微小なドットからなる画像を形成することが一般的に行われている。このような画像形成装置では、微小なドットの集合で形成されるデジタル画像情報を、帯電した感光体に微小なドットとして露光して静電潜像を形成する。その後、現像器で粉状のトナーを用いて可視化して、被記録媒体である用紙に転写して画像を形成する。
【０００４】
デジタル画像情報を感光体に露光する装置としては、レーザダイオードなどが発光するレーザ光を利用して露光を行うレーザ露光装置や、デジタル画像の１ドットに対応した微小なＬＥＤ（発光ダイオード）を多数個直線状に配列してアレイ状とし、感光体の軸方向（主走査方向）に配置して露光を行うＬＥＤアレイ露光装置がある。特に最近では、ＬＥＤアレイ露光装置が小型化、低価格化、制御の容易さ、機械的可動部がなく信頼性が高いなどの面で、プリンタやその他の画像形成装置に幅広く使用されている。
【０００５】
このようなＬＥＤアレイ露光装置は、プリント基板と、その上に搭載されるＬＥＤアレイチップと、これに電流を供給して駆動する駆動ＩＣと、ＬＥＤアレイチップの発光面と感光体との間に在ってＬＥＤ発光素子からの光を感光体上にビームとして収束して結像させる複数のレンズの集合体であるレンズアレイと、これらの部品を保持する保持部材などを備えている。
【０００６】
ＬＥＤアレイチップは、少なくとも被記録媒体（用紙）の幅以上の有効走査幅を露光できるよう、基板上に１個または複数個配置されており、帯電した感光体に静電潜像を形成するための露光源をなしている。このＬＥＤアレイチップ上には、ビデオデータ（記録しようとする画像データ）のそれぞれの画素に対応する微小なＬＥＤ発光素子が一列に配置されている。例えば６００ｄｐｉの解像度でＡ４サイズの記録幅に対応する場合、１個または複数個のＬＥＤアレイチップが有するＬＥＤ発光素子の総数は少なくとも５１２０個になる。
【０００７】
駆動ＩＣは、各ＬＥＤ発光素子を駆動して発光させる回路を有しており、前記基板（または外部）に１個または複数個搭載されている。レンズアレイは、複数のシリンダ状のレンズを束にして配列したものであり、ＬＥＤ発光素子の光を感光体上に収束させてビーム形状のドットとして露光する。
【０００８】
しかし、各ＬＥＤ発光素子の発光強度にはばらつきがあり、そのばらつきが被記録媒体上の可視化された画像で、濃度のむらやスジとなってあらわれ、記録品質の劣化を引き起こす。そのため、従来のＬＥＤアレイ露光装置では、各ＬＥＤ発光素子の露光エネルギーが一定になるように補正する光量補正データを、ＬＥＤ発光素子個々に予め準備しておき、この光量補正データに従って、各ＬＥＤ発光素子が発光するときの露光エネルギーのばらつきを補正していた。
【０００９】
また、レンズアレイの不均一な配列などにより解像力にばらつきがあったり、レンズアレイの取り付け誤差によりＬＥＤ発光素子からの光の焦点位置がずれたりすると、感光体上に結像するドットが歪んだり、解像力がばらついたりする。各ＬＥＤ発光素子の発光強度のばらつきを±２％程度に収まるように補正したとしても、レンズアレイによる解像力にばらつきがあると、可視化された画像では濃度むらが顕著に現れる。
【００１０】
また、４色の色を使用してフルカラー画像を形成するカラー画像形成装置では、各色ごとに画像のスクリーン角度が異なる。このような画像形成装置にＬＥＤアレイ露光装置を使用する場合、スクリーン角度により濃度むらやスジが顕著になりやすく、濃度むらやスジの発生とともに、カラーの再現性にも影響を及ぼし、記録品質が大きく劣化することになる。また、通常４５度のスクリーン角度を使用する白黒の画像形成装置についても同様な記録品質の劣化が問題になる。
【００１１】
このような問題に対処するため、特許文献１によると、ＬＥＤ発光素子個々の露光エネルギーがほぼ均一になるように補正する光量補正値を保持し、ＬＥＤ発光素子を駆動するときに、各スクリーン角度に応じたスクリーン角度補正値を重みとして光量補正値に作用させる方法と、その方法を採用した書き込み装置が開示されている。
【００１２】
【特許文献１】
特開２００１−６３１３８号公報
【００１３】
しかし、このような書き込み装置や露光装置を使用することにより、感光体上に形成されるドットが、実際に粉状のトナーを使用する現像器により現像されて可視化される場合、現像されたドットの濃度は前記した露光エネルギーとともに、感光体上に結像されるビーム面積（ドットの面積）にも依存する。このため、ＬＥＤ発光素子ごとにばらつくビーム面積に対する補正も行わないと、光量補正にスクリーン角度に応じた重み補正を組み合わせても、濃度むらやスジを大幅に低減させることは困難である。
【００１４】
本発明は、斯かる実状に鑑みなされたものであり、ＬＥＤアレイ露光装置において、光量補正とともに、ビーム面積の補正にスクリーン角度に応じた重み補正を加味することにより、濃度むらやスジを大幅に低減することが可能なＬＥＤアレイ露光装置及びそれを備えた画像形成装置を提供することを目的とするものである。
【００１５】
【課題を解決するための手段】
上記目的を達成するために、本発明では、画素データに応じて点灯制御される複数のＬＥＤ発光素子からなる１つまたは複数のＬＥＤアレイチップがライン状に配設され、各ＬＥＤ発光素子の光量データに基づき該ＬＥＤ発光素子の光量補正を行い、該ＬＥＤ発光素子の発光をレンズアレイを介して結像させて露光を行うＬＥＤアレイ露光装置において、レンズアレイを透過した各ＬＥＤ発光素子のビーム面積のばらつきに対するビーム面積補正と、前記画素データのスクリーン角度に応じて前記ビーム面積補正の大小を調節する重み付けとが、前記光量補正に重畳される構成とする。
【００１６】
更に、本発明では、前記ビーム面積補正は、補正対象となるＬＥＤ発光素子を含む前後複数個のＬＥＤ発光素子のビーム面積を平均値化し、該平均値と補正対象となるＬＥＤ発光素子のビーム面積の差分の大小に応じて行う構成とする。
【００１７】
また、本発明では、前記ビーム面積の平均値が移動平均値となるように、移動平均値の対象となる前記前後複数個のＬＥＤ発光素子が、補正対象となるＬＥＤ発光素子とともに移動する構成とする。
【００１８】
前記した前後複数個のＬＥＤ発光素子は、補正対象となるＬＥＤ発光素子を先頭とする後続する複数個のＬＥＤ発光素子である。
【００１９】
あるいは、前記前後複数個のＬＥＤ発光素子は、補正対象となるＬＥＤ発光素子を含む同一のＬＥＤアレイチップ内のＬＥＤ発光素子となっている。
【００２０】
更に、本発明は、前記のＬＥＤアレイ露光装置を使用して画像形成装置を構成している。
【００２１】
【発明の実施の形態】
以下、本発明の詳細を図１〜図７に基づいて説明する。先ず、本発明に係るＬＥＤアレイ露光装置を使用した画像形成装置の概略構成について、図１に基づき説明する。図１は、本発明に係るＬＥＤアレイ露光装置を使用したカラープリンタの概略を模式的に示す正面図である。
【００２２】
図１において、符号１は、画像形成装置の一例としてのカラープリンタである。その主要構成部品として、２は筐体、３Ｂと３Ｙと３Ｃと３Ｍはそれぞれブラック、イエロー、シアン、マゼンタ用の画像形成部で、１０Ｂと１０Ｙと１０Ｃと１０Ｍは、それぞれ前記の色のトナーホッパーで、１２は被記録媒体である用紙１４を格納する給紙カセット、１３は給紙ガイド、１１ａと１１ｂは搬送ベルト駆動ローラ、８は搬送ベルト、９は転写ローラ、１７は定着部、１５は排紙ガイド、１６は排紙部である。また、各色の画像形成部３Ｂ、３Ｙ、３Ｃ、３Ｍは、それぞれ、現像器４、感光体５、主帯電器６、ＬＥＤアレイ露光装置７、クリーニング部２０などから構成されている。
【００２３】
カラープリンタ１において、主帯電器６によって帯電した感光体５上には、ＬＥＤアレイ露光装置７によって静電潜像が形成され、現像器４により現像されて可視画像が形成される。このようなプロセスが各色ごとに行われる。給紙カセット１２から給紙された用紙１４は給紙ガイドにより案内されて、図中、反時計方向に回転している搬送ベルト８の上面に吸着されて、各色の画像形成部３Ｂ、３Ｙ、３Ｃ、３Ｍの直下を通過するときに、転写ローラ９によって各色の画像が用紙１４に順次転写される。このように用紙１４上でフルカラー画像を形成した４色のトナーは、用紙１４が定着部１７を通過する際に定着される。その後、用紙１４は排紙ガイド１５により排紙部１６に排出案内される。
【００２４】
次に、上記のようなカラープリンタ１が備えているＬＥＤアレイ露光装置７について、その詳細を図２に基づき説明する。図２は、本発明に係わるＬＥＤアレイ露光装置７の上面概略模式図である。ＬＥＤアレイ露光装置７は、配線を有する基板３０上に一列に配置された１個または複数個のＬＥＤアレイチップ３１と、そのＬＥＤアレイチップ３１の上方に配されて正立等倍の像を結像するレンズアレイ３２（例えば、日本板硝子社製の商品名「セルフォック・レンズ・アレイ」）と、ＬＥＤアレイチップ３１の各ＬＥＤ発光素子を駆動する回路を収めた１個または複数個の駆動ＩＣ３３とから構成されている。実際には、上記の基板３０とレンズアレイ３２などは図示しない保持部材により保持されている。また、各ＬＥＤ発光素子の発光を補正するなどの制御を行う制御部３４を外部に設ける場合もある。
【００２５】
図３は、ＬＥＤアレイ露光装置７を画像形成装置に組み込んだ場合の模式図である。尚、図２と同じ構成要素は同じ参照番号を附してその説明は省略する。図中、５はドラム状の感光体を示し、レンズアレイ３２がＬＥＤ発光素子の発光を受光して屈折透過させ、ドラム面上に結像する様子を破線で示している。
【００２６】
このように、図１のカラープリンタ１に外部のＰＣ（不図示）などから送信されてくるプリントデータの各画素に対応してＬＥＤ発光素子が駆動され、その発光がレンズアレイ３２（図２と図３参照）を介して、感光体５にドットとして結像する。従来技術に関して説明したように、各ＬＥＤ発光素子の露光エネルギーのばらつきを補正するには、事前に測定した各ＬＥＤ発光素子の露光エネルギーに基づいて周知の方法で、駆動電流値や発光時間あるいはその両方を補正するための補正値を算出して、その補正値を光量補正値として図２で示した制御部３４や図１で示したカラープリンタ１の制御部（不図示）あるいはＬＥＤアレイ露光装置７に記憶部を設けて記憶させておく。
【００２７】
次に、ＬＥＤアレイ露光装置７の少なくとも有効走査幅の全てのＬＥＤ発光素子がレンズアレイ３２を介して結像するビーム面積をＬＥＤ発光素子個々に予め測定算出して、それぞれのビーム面積を、図２で示した制御部３４や図１で示したカラープリンタ１の制御部（不図示）あるいはＬＥＤアレイ露光装置７に記憶部を設けて記憶させておく。このようにして、上記の記憶部に記憶された各ＬＥＤ発光素子の光量補正値とビーム面積のデータを基に、濃度むらやスジがより低減できる補正方法を、図４を参照して説明する。
【００２８】
図４は、ＬＥＤ発光素子を補正して駆動するカラープリンタ１の概略回路ブロック図である。４０はプリント制御部で、４１は前記した補正を行う補正回路で、４２は光量補正値を記憶している光量補正値記憶部で、４３はビーム面積を記憶しているビーム面積記憶部で、７はＬＥＤアレイ露光装置である。また、ＰＣは外部に接続された情報端末装置であり、例えばパソコンをあらわしている。
【００２９】
図４の構成では、まず、ＰＣからプリントドライバによってラスター処理された（画素に分解された）プリントデータがプリント制御信号とともにプリント制御部４０に送信される。これを受けて、プリント制御部４０は例えば１走査ラインごとの画像信号とスクリーン角度データを補正回路４１に送出すると同時に、プリント駆動信号をＬＥＤアレイ露光装置７に送出してプリントを開始させる。補正回路４１は前記画像信号を受けて、その画素を露光するＬＥＤ発光素子の光量補正値とビーム面積を、光量補正値記憶部４２とビーム面積記憶部４３とからそれぞれ読み込み、スクリーン角度データとともに後述する方法で補正を行い、ＬＥＤ発光素子を駆動するための補正済み画像信号として、タイミング用のクロックとともにＬＥＤアレイ露光装置７に送出する。この時、送出する補正済み画像信号の量は、１走査ライン分またはそれを複数個に分割した１走査ブロック分であり、この分量のデータをＬＥＤアレイ露光装置７がラッチして同時発光させるためのラッチ信号も送出する。
【００３０】
上記の説明のように、本発明では、従来の光量補正とともにビーム面積に対する補正を施し、さらにプリントされる画素のスクリーン角度に応じた補正も行っている。図５は、スクリーン角度に係わる補正がプリントされた画像の粒状度に与える影響を表した図である。図の縦軸は粒状度を、横軸はスクリーン角度を表している。また、符号ａ〜ｄの曲線は、それぞれ補正強度３、５、７、９による粒状度とスクリーン角度との関係を示しており、この数値が大きいほど補正度が高いことになる。
【００３１】
粒状度の数値が高いとプリントされた画像は荒くなり、数値が低いと、きめ細かな画像になる。そのため、プリントされた画像の濃度むらやスジは、粒状度が高いと顕著になると同時に視認しやすくなるという性質がある。図５によると、スクリーン角度が大きいものほど、補正強度を強くしないと粒状度が大きくなって、濃度むらや筋が発生しやすくなる。反対に、スクリーン角度が小さいものは補正強度を強くすると粒状度が大きくなって、同様の問題が発生し易くなることがわかる。言い換えれば、大きなスクリーン角度でプリントされた画素は、濃度むらやスジが現われ易くなる。そのため、図４を参照して説明した補正においては、スクリーン角度も考慮して補正を行っている。
【００３２】
次に、このような補正方法を図６を参照して説明する。図６は、本発明に係わる各ＬＥＤ発光素子を駆動する際に使用する補正方法を図式化したものである。なお、説明の簡略化のために、ＬＥＤ発光素子は５個で１つの補正グループを形成するように説明しているが、実際には、１つのＬＥＤアレイチップ単位で、あるいは３２個〜２５６個単位のＬＥＤ発光素子で１つの補正グループを形成するようにするとよい。
【００３３】
図６において、最初のステップＳ１で、プリントされる画素が取り込まれ、その画素番号Ｎを１から順番に割り当てる。最初の画素の番号を１として、画素５までを示している。次のステップＳ２で、画素１〜５が有するスクリーン角度Ｓを読み取る。通常、同一ページでは１つの色のスクリーン角度は同じであり、この例では９０°に設定されている。ステップＳ３で、それぞれの画素に対応するＬＥＤ発光素子の光量補正値Ｌを取り込み、ステップＳ４で、それぞれの画素に対応するＬＥＤ発光素子のビーム面積Ａを取り込む。ステップＳ５で、画素１〜５のビーム面積の平均値Ｍを算出して、ステップＳ６で、平均値Ｍに対するそれぞれの画素のビーム面積Ａの差分（Ｍ−Ａ）を算出する。さらに、ステップＳ７で、平均値Ｍに対する差分Ｄの割合Ｐを算出する。
【００３４】
このように算出された割合Ｐの絶対値が大きいほど、その画素に対応するＬＥＤ発光素子のビーム面積が、グループ平均から大きくばらついていることになる。そのため、ステップＳ８で、上記のように得られた割合Ｐに対して、補正のランク付けを行い、そのランクに対応する補正に必要な係数を別途実験などで算出しておき、ビーム面積補正値Ｂとする。次のステップＳ９では、その画素が持つスクリーン角度Ｓを判断し、前記したように大きなスクリーン角度であれば補正が強くかかるように、小さなスクリーン角度であれば補正が弱くかかるように、スクリーン角度Ｓによる重み付けを行い、最終的な補正係数Ｃを得る。最後にステップＳ１０で、ＬＥＤ発光素子の基準駆動値に各画素の光量補正値Ｌを乗じ、更に上記で得られた補正係数Ｃを乗ずることにより、各ＬＥＤ発光素子の駆動値Ｉを算出する。
【００３５】
上記のような方法で、ＬＥＤアレイ露光装置７のＬＥＤ発光素子を、レンズアレイ３２の影響も考慮して、光量、ビーム面積、スクリーン角度による視認具合のばらつきに対して補正を行うため、濃度むらやスジの発生を大幅に低減させることが可能になる。上記の例では、ＬＥＤ発光素子５個を１つのグループとして平均化して、各素子をグループ内でのばらつきに対して補正するようにしているため、グループごとのばらつきがほぼ均一である場合は、プリントされた画素も平均化されるが、グループごとにばらつきがある場合には、以下に説明する方法を採用すると、より一層の効果を上げることができる。
【００３６】
図７は本発明に係わる各ＬＥＤ発光素子を駆動する際に使用する別の補正方法を図式化したものである。なお、説明の簡略化のために、ＬＥＤ発光素子は５個で１つの補正グループを形成するように説明しているが、実際には、１つのＬＥＤアレイチップ単位で、あるいは３２個〜２５６個単位のＬＥＤ発光素子で１つの補正グループを形成するようにするとよい。
【００３７】
図７において、最初のステップＳ１で、１走査ラインあるいは１走査ブロック（例えば、ＬＥＤアレイチップ単位）ごとにプリントされるＮ個の画素が取り込まれ、その画素番号を１からＮとし、特定の画素番号をｎとする。図７では、最初の画素の番号を１として、画素９までを図示している。次のステップＳ２で、取り込まれた画素にそれぞれ対応するスクリーン角度Ｓを取り込む。通常、同一ページでは１つの色のスクリーン角度は同じであり、この例では９０°に設定されている。ステップＳ３で、各画素に対応するＬＥＤ発光素子の光量補正値Ｌを取り込み、ステップＳ４で、各画素に対応するＬＥＤ発光素子のビーム面積Ａを取り込む。ステップＳ５−１で、画素１に注目して、画素１〜５のビーム面積の平均値Ｍ１を算出し、ステップＳ５−２で、画素２に注目して、画素２〜６のビーム面積の平均値Ｍ２を算出し、ステップＳ５−３で、画素３に注目して、画素３〜７のビーム面積の平均値Ｍ３を算出し、ステップＳ５−４で、画素４に注目して、画素４〜８のビーム面積の平均値Ｍ４を算出し、ステップＳ５−５で、画素５に注目して、画素５〜９のビーム面積の平均値Ｍ５を算出する。以降、同様に、最後の画素Ｎまで上記のような平均値Ｍを求める。実際の使用例では、有効走査幅の外側にもＬＥＤ発光素子が配列されており、有効走査幅の最後の画素Ｎに注目して平均値Ｍを求める場合は、これらの有効走査幅の外側にあるＬＥＤ発光素子を利用しても良い。または、最後の画素の領域では平均値を求めるサンプル数を減らして行っても良い。ステップＳ６で、注目した画素ｎの平均値Ｍｎに対する画素のビーム面積Ａの差分（Ｍｎ−Ａｎ）を算出する。さらに、ステップＳ７で、平均値Ｍｎに対する差分Ｄｎの割合Ｐｎを算出する。
【００３８】
このように算出された割合Ｐｎの絶対値が大きいほど、その画素に対応するＬＥＤ発光素子のビーム面積が、グループ平均から大きくばらついていることになる。そのため、ステップＳ８で、上記のように得られた割合Ｐｎに対して、補正のランク付けを行い、そのランクに対応する補正に必要な係数を別途実験などで算出しておき、ビーム補正値Ｂｎとする。次のステップＳ９では、その画素が持つスクリーン角度Ｓを判断し、前記したように大きなスクリーン角度であれば補正が強くかかるように、小さなスクリーン角度であれば補正が弱くかかるように、スクリーン角度Ｓに対応した重み付けを行い、最終的な補正係数Ｃｎを得る。最後にステップＳ１０で、ＬＥＤ発光素子の基準駆動値に各画素の光量補正値Ｌｎを乗じ、更に上記で得られた補正係数Ｃｎを乗ずることにより、各ＬＥＤ発光素子の駆動データＩｎを算出する。
【００３９】
上記の方法では、注目画素ごとに移動するグループの平均値（移動平均）を使用するため、レンズアレイ３２による影響も考慮して、ＬＥＤアレイ露光装置７のＬＥＤ発光素子を、光量やビーム面積、且つスクリーン角度による視認具合のばらつきに対して補正を行う。その補正が移動平均に基づくため、緩やかに連続した補正を行うことが可能となり、濃度むらやスジの発生を更に低減させることができる。
【００４０】
尚、図６と図７とを参照して説明した補正方法では、平均値Ｍを求める画素のグループを、注目画素に後続する５個の画素で説明したが、画素グループは注目画素に後続する複数の画素に限らず、注目画素の前後の連続する画素であってもよい。更に、画素グループは連続する必要はなく、２画素おきに選択するような不連続画素であってもよい。また、前記したようにグループを形成する画素は５個に限定されないことは言うまでもない。同時に、図６と図７で使用した数値は理解を助けるための数値であり、この数値に本発明の実施形態が限定されるものではない。
【００４１】
また、図６や図７で説明した補正を、ＬＥＤアレイ露光装置７内に制御部を設けて、その制御部で行ってもよいし、図２や図４で示したような外部の制御部や、カラープリンタ１の制御回路に含ませてもよい。また、このような補正制御を演算で行ってもよいし、ＡＳＩＣなどに統合して回路で行うことも可能である。
【００４２】
【発明の効果】
本発明では、レンズアレイを透過した各ＬＥＤ発光素子のビーム面積のばらつきに対するビーム面積補正と、画素データのスクリーン角度に応じてビーム面積補正の大小を調節する重み付けとを光量補正に重畳する構成としているため、従来のように光量補正のみでは効率的に抑制できなかった画像の濃度むらやスジを大幅に低減できるという優れた効果を奏するとともに、濃度むらや筋が発生しやすいスクリーン角度を持つ画像や、白黒画像あるいは各色ごとにスクリーン角度が異なるカラー画像においても、適切な補正が可能となる。
【００４３】
更に、本発明では、補正対象となるＬＥＤ発光素子を含む前後複数個のＬＥＤ発光素子のビーム面積を平均値化し、該平均値と補正対象となるＬＥＤ発光素子のビーム面積の差分の大小に応じて行う構成にしているため、段階的に急激に行われる補正による弊害が起こりにくい構成になっている。
【００４４】
また、本発明では、前記ビーム面積の平均値が移動平均値となるように、移動平均値の対象となる前記前後複数個のＬＥＤ発光素子が、補正対象となるＬＥＤ発光素子とともに移動する構成としているため、補正が緩やかに行われ、補正の境界が認識されにくくなる。
【００４５】
更に、本発明は、このようなＬＥＤアレイ露光装置を画像形成装置に使用するため、スクリーン角度が色ごとに異なるカラー画像形成装置において大きな効果を奏することが可能となる。
【図面の簡単な説明】
【図１】本発明に係るＬＥＤアレイ露光装置を使用したカラープリンタの概略を模式的に示す正面図である。
【図２】本発明に係わるＬＥＤアレイ露光装置の上面概略模式図である。
【図３】ＬＥＤアレイ露光装置を画像形成装置に組み込んだ場合の模式図である。
【図４】ＬＥＤ発光素子を補正して駆動するカラープリンタ１の概略回路ブロック図である。
【図５】スクリーン角度に係わる補正がプリントされた画像の粒状度に与える影響を表した図である。
【図６】本発明に係わる各ＬＥＤ発光素子の駆動補正方法を図式化したものである。
【図７】本発明に係わる各ＬＥＤ発光素子の別の駆動補正方法を図式化したものである。
【符号の説明】
１    カラープリンタ
２    筐体
３Ｂ、３Ｃ、３Ｍ、３Ｙ  画像形成部
４    現像器
５    感光体
６    主帯電器
７    ＬＥＤアレイ露光装置
８    搬送ベルト
９    転写ローラ
１０Ｂ、１０Ｃ、１０Ｍ、１０Ｙ  トナーホッパー
１１ａ、１１ｂ  搬送ベルト駆動ローラ、
１２  給紙カセット
１３  給紙ガイド
１４  用紙
１５  排紙ガイド
１６  排紙部
１７  定着部
２０  クリーニング部
３０  基板
３１  ＬＥＤアレイチップ
３２  レンズアレイ
３３  駆動ＩＣ
３４  制御部
４０  プリント制御部
４１  補正回路
４２  光量補正値記憶部
４３  ビーム面積記憶部
【図１】
2004148652.tif 000003
【図２】
2004148652.tif 000004
【図３】
2004148652.tif 000005
【図４】
2004148652.tif 000006
【図５】
2004148652.tif 000007
【図６】
2004148652.tif 000008
【図７】
2004148652.tif 000009